(57)【要約】【課題】小型の物品を複数個収容して販売または携帯の用に供する安価な包装体を提供する。【解決手段】物品収容面１７に形成した電池収容凹部２１ａと、物品収容面１７を閉じる蓋面１８に形成した電池収容凹部２１ｂとに、それぞれ空気電池として構成された電池４が収容され、各電池４は物品収容面１７及び蓋面１８に延出形成された摘み片形成面１９，２７の各摘み片１６にシールフィルム１５が接合されている。１片の摘み片１６を切取線２６から切り離すと、その先端に電池４がぶら下がった状態にして取り出すことができる。【選択図】  図２
2004182303.tif 000002
【特許請求の範囲】
【請求項１】
硬質シート材により、少なくとも１つの物品収容凹部が形成された物品収容面と、この物品収容面とヒンジ部で接続されて物品収容面を開閉自在に被覆する蓋面と、を備えて形成された包装体であって、
前記蓋面にその閉状態において前記物品収容面に形成された物品収容凹部の凹部方向と反対の方向になるように少なくとも１つの物品収容凹部が形成され、物品収容面及び蓋面それぞれの一辺から切取線を介してそれぞれの物品収容凹部に対応して延出する摘み片を設けた摘み片形成面が形成されてなることを特徴とする包装体。
【請求項２】
摘み片の先端に物品収容凹部に収容された物品が保持されてなる請求項１に記載の包装体。
【請求項３】
ヒンジ部は、切断線間の繋ぎ線長さを小さく形成した軟曲げミシン目で物品収容面に接続され、切断線間の繋ぎ線長さを大きく形成した硬曲げミシン目で蓋面に接続されてなる請求項１に記載の包装体。
【請求項４】
物品収容凹部は、凹部の立下り部分に形成された傾斜部から物品の直径に対応する内径に至るように形成されてなる請求項１に記載の包装体。
【請求項５】
物品収容面及び蓋面に、補強用凹凸部が形成されてなる請求項１に記載の包装体。
【請求項６】
摘み片の長手方向に補強リブが形成されてなる請求項１に記載の包装体。
【請求項７】
複数の摘み片が、摘み片形成面を円弧が形成された分離線で切断して形成されてなる請求項１又は５に記載の包装体。
【請求項８】
物品収容面及び蓋面の一方面に形成された略四角形の凹部に、他方面に形成された円形の凸部を嵌入させて電池収容面と蓋面との間を嵌合する嵌合構造が形成されてなる請求項１に記載の包装体。
【請求項９】
一方端側に吊下げ用の開口部が形成され、開口部から他方端までの長さが吊下げ陳列の許容高さ範囲内となるように形成されてなる請求項１記載の包装体。
【請求項１０】
物品は空気電池であり、摘み片の先端部に空気電池の空気取り入れ穴を封止するシールの延出片が貼着されてなる請求項１〜９に記載の包装体。
【発明の詳細な説明】
【０００１】
【発明の属する技術分野】
本発明は、ボタン形電池等の小型の物品を収容して販売あるいは携帯の用に供する包装体に関するものである。
【０００２】
【従来の技術】
小型のボタン形電池は必然的に電池容量は小さく、電池切れに至ったときに速やかに交換できるように、複数個を１パッケージにして販売され、これを購入したユーザは携帯や保管の用に供する。携帯や保管の際に、小型のボタン形電池は、電池単体にすると、小さいがために他の物品中に紛れ込んだり、紛失してしまうことが多い。また、金属物との接触により短絡が生じ、電池特性を大きく悪化させてしまうことがあり、複数個のパッケージのままで携帯又は保管し、必要に応じて１個のボタン形電池を取り出すことができるように構成される。
【０００３】
例えば、図６に示す包装体は、５個のボタン形電池を１パッケージにして、包装体１００を構成する台紙１０４と、台紙１０４上に配した複数のボタン形電池を個々にカバーする凸部１０６を形成したカバー５とに、それぞれミシン目１０２、１０３が形成され、ミシン目１０２、１０３から切り離すことにより、１個ずつボタン形電池を取り出すことができるように構成されている（特許文献１参照）。
【０００４】
このようなミシン目から包装体を切り離して包装された複数の商品から１個ずつ取り出すことができる構造は、小型のボタン電池だけでなく薬の錠剤などにも類似の構造を見ることができるが、上記従来構造では、台紙１０４のミシン目１０２と、カバー５のミシン目１０３との形成位置にずれを設けることにより、輸送などの取り扱い中に包装体がミシン目から不用意に折れてしまうことを防止する機械的強度の向上が図られている。
【０００５】
【特許文献１】
特開２００２−１２２６３号公報（第３〜６頁、図１）
【０００６】
【発明が解決しようとする課題】
しかしながら、上記従来技術の構造は、複数の小型商品を包装した包装体の機械的強度を向上させ、小型商品を１個ずつ取り出すのに有効であるが、小型商品が小さくなればなるほど取り出した小型商品の扱いが困難であることを解決できない問題があった。例えば、小型商品が小型のボタン形電池であるとき、取り出したボタン形電池を機器に装填する作業が伴う。直径が８ｍｍを下回るようなボタン形電池になると、指先での扱いも困難となり、小型化された機器に装填する作業は困難であり、高齢者になると扱いが不可能になることさえ予想される。
【０００７】
小型のボタン形電池の一例である空気電池は補聴器用として多く使用されており、特に耳穴式の補聴器では、極小化された空気電池が用いられるため、その取り扱いは困難であり、補聴器の主たる使用者が高齢者であることからも取り扱いを容易にするための構成が要求される。また、空気電池５０は空気中の酸素を活物質として利用するため、電池缶には空気取り入れ用の穴が開口しており、空気電池を使用するまではシールによって空気取り入れ穴は封止されているので、空気電池を補聴器等の機器に装填する際には、シールを剥がして空気取り入れ穴を開放する作業が伴う。このシールを剥がす作業は空気電池が小型になるほど困難になり、より取り扱い易さの改善が望まれている。
【０００８】
また、空気電池の空気取り入れ穴を封止するシールは、空気電池を機器に装填するまで剥がれないようにする包装構造が必要である。シールの剥離や脱落が発生すると、空気電池は包装体に収容された状態であっても空気取り入れ穴から電解液が蒸発、散逸して、長期間に及ぶと電解液が枯渇し、空気電池５０は使用不能になってしまうことになる。また、剥離や脱落に至らなかった場合でも、シールの空気電池に対する接合状態が低下すると、空気孔を封止した密封状態が低下して、電池特性の劣化をまねくことになる。
【０００９】
従って、空気電池を包装体に収容する場合には、１個ずつ取り出してシールを剥がす作業が容易にでき、補聴器等の小型機器への装填が容易にできる構造を備え、尚且つ、輸送や携帯時の振動や衝撃によってシールが剥がれない構造を備えていることが要求される。ボタン形電池など小型の物品を複数個収容する場合においても、１個ずつの取り出しが容易であり、包装体自体のコストが収容する物品に影響を与えない構造が要求されている。
【００１０】
本発明が目的とするところは、小型の物品を複数個収容して販売あるいは携帯の用に供すると共に、物品の取り扱いを容易にした安価な包装体を提供することにある。
【００１１】
【課題を解決するための手段】
上記目的を達成するための本発明は、硬質シート材により、少なくとも１つの物品収容凹部が形成された物品収容面と、この物品収容面とヒンジ面で接続されて物品収容面を開閉自在に被覆する蓋面と、を備えて形成された包装体であって、前記蓋面にその閉状態において前記物品収容面に形成された物品収容凹部の凹部方向と反対の方向になるように少なくとも１つの物品収容凹部が形成され、物品収容面及び蓋面それぞれの一辺から切取線を介してそれぞれの物品収容凹部に対応して延出する摘み片を設けた摘み片形成面が形成されてなることを特徴とする。
【００１２】
上記構成によれば、包装体は硬質シート材を加熱成形加工及びプレス加工して形成できるので、加工のために必要な金型製作費用は樹脂成形あるいは金属プレスに比して格段に少なく、材料費用も少ないので、収容した複数個の物品を消費するまでの有限期間の使用に耐え得る安価な構造に形成することができる。また、包装体の物品収容凹部に収容された物品は、物品収容凹部上に延出形成された摘み片によって保持させることができ、振動や衝撃によって包装体内部で移動することがない。特に、摘み片は、その先端部で物品を保持すると共に、物品収容面と一体化されていることから、振動や衝撃によって物品が移動することがなく、物品と包装体との接触、及び物品の包装体内での移動を防止するのに効果的である。また、包装体の一部は複数の摘み片として、その先端部でそれぞれ複数の物品を保持するようにすると、使用する１個の物品は１つの摘み片を切取線から切り離して取り出すことにより、硬質の摘み片の先端に物品がぶら下がった状態が得られ、物品が指先でも取り扱いし難いほど小型化されたものであっても、摘み片で支持して取り扱うことができる。この掴み片は、切取線から物品収容凹部に至るまでの距離を、各々の掴み片で略同一とするのが好ましい。これにより、物品が保持される掴み片の一端と使用者が掴取る他端との距離が一定となることから、使用者が切取線にて掴み片を引き剥がし、掴み片にて物品を保持するに際し、使い勝手の悪化を招くことはない。
【００１３】
上記構成において、摘み片の先端に物品収容凹部に収容された物品を保持させることにより、１片の摘み片を切取線から切り離すと、１個の物品を摘み片を摘んで取り出すことができ、指先での取り扱いも容易でない小型の物品であっても、包装体からの取り出しが容易となる。
【００１４】
また、ヒンジ面は、切断線間の繋ぎ線長さを小さく形成した軟曲げミシン目で物品収容面に接続され、蓋面と切断線間の繋ぎ線長さを大きく形成した硬曲げミシン目で蓋面に接続された間に所要幅に形成することにより、蓋面を物品収容面上に閉じるとき、軟曲げミシン目からヒンジ作用がなされた後に硬曲げミシン目がヒンジとして作用するので、ヒンジ面に変形が生じることなく開閉がなされ、ヒンジ面は物品収容面上の収容物を被覆できる所要幅に形成することにより、蓋面に膨らみを生じさせない。
【００１５】
また、物品収容凹部は、凹部の立下り部分に形成された傾斜部から物品の直径に対応する内径に至るように形成することにより、摘み片の先端部に保持されてぶら下がった状態の物品が傾斜部に誘導されて物品収容凹部内に正常に収まるようになる。
【００１６】
また、物品収容面及び蓋面に、補強用凹凸部を形成することにより、強度の低いシート材であっても変形が生じることが防止される。
【００１７】
また、複数の摘み片それぞれの長手方向に補強リブを形成することにより、薄いシート材であっても摘み片の先端に物品をぶら下げて摘み片が屈曲することが防止できる。
【００１８】
またリブにより掴み片全体に厚みと凹凸を付与することで、指先の感覚が衰えた高齢者にとって掴み片の取り扱い性を向上させるものである。
【００１９】
また、複数の摘み片は、摘み片形成面を円弧に形成した分離線で切断して形成することにより、個々に独立した摘み片を切取線から切り離して物品を取り出すことができ、円弧部分は個々の摘み片を取り出す際の指掛り部とすることができる。
【００２０】
また、物品収容面及び蓋面の一方面に形成された略四角形の凹部に、他方面に形成された円形の凸部を嵌入させて物品収容面と蓋面との間を嵌合する嵌合構造を形成することにより、凹部と凸部とは周面の複数点で点接触した状態に嵌合するので、嵌合状態の劣化が少なく、販売用としてだけでなく複数の物品が消費されるまで使用される包装体の耐久性を高めることができる。
【００２１】
また、一方端側に吊下げ用の開口部が形成され、開口部から他方端までの長さが吊下げ陳列の許容高さ範囲内となるように形成することにより、小型商品を販売するために主に採用される吊下げ陳列販売に対応させることができる。
【００２２】
さらに吊り下げ用の開口部が、蓋体及び物品収容面に形成された各収容凹部に対して中心部に位置しており、吊り下げ陳列に好適である。特に多数個を収容した包装体の場合、従来の吊り下げ陳列時の問題点、すなわち物品の重さにより物品収容面が下方を向き、消費者による認知を低下させる問題点を生じることがない。この問題点は、蓋面にある吊り下げ部位の位置と包装体全体の重心位置が異なるために生じるものであり、上記の構成では、吊り下げ位置が包装体のほぼ中央、表裏面での収容個数が異なる場合には表面側に重心は若干移動した位置となり、吊り下げ展示をした際に、ほぼ表面がほぼ鉛直方向を向き、購入者からの認識性を高める効果を奏する。
【００２３】
上記構成になる包装体に収容する物品は空気電池が好適であり、摘み片の先端部に物品収容凹部に収容された空気電池の空気取り入れ穴を封止するシールの延出片を貼着すると、摘み片の先端部にシールでぶら下がった状態に空気電池を取り出すことができ、その状態のまま空気電池を機器に装填し、摘み片を引くと空気電池からシールを剥がして使用可能状態にすることができる。耳穴式補聴器などに適用される極小化された空気電池でも取り扱いが容易となる。
【００２４】
【発明の実施の形態】
以下、添付図面を参照して本発明の実施形態について説明し、本発明の理解に供する。尚、以下に示す実施形態は本発明を具体化した一例であって、本発明の技術的範囲を限定するものではない。
【００２５】
本実施形態に係る包装体は、物品の一例である空気電池を複数個収容して販売し、購入したユーザが保管あるいは携帯する用に供することができるようにした具体例を示すものである。
【００２６】
本実施形態において、空気電池２とする形態は、図５に示すように、空気亜鉛電池として構成された電池４の正極缶５に形成された空気孔７を封止するシールフィルム１５のシール面１５ａから延出して折り返された折り返し片１５ｂに摘み片１６の先端部を接合して構成された全体を指している。
【００２７】
前記電池４は、有底円筒状に形成された正極缶５内に負極活物質として亜鉛を用いた発電要素が収容され、正極缶５の開口部にガスケットを介して負極となる封口板６を配し、正極缶５の開口端をカシメ加工することによって封口したものである。前記正極缶５の底面には正極活物質である酸素を取り入れるための空気孔７が形成され、未使用状態では空気孔７はシールテープ１５が貼着されることによって封止されており、使用時に正極缶５からシールテープ１５を剥離することにより、電池４は空気孔７から取り入れた空気中の酸素を正極活物質として発電を開始する。前記シールフィルム１５は、ポリエチレン、ポリプロピレン等のフィルムの所要面に粘着剤を塗着して形成され、摘み片１６はポリエチレンテレフタレートによる硬質のシートで形成されている。
【００２８】
上記構成になる空気電池２の電池４を補聴器等の機器に装着する作業動作は、摘み片１６が硬質シートで形成されていることにより、指先で摘み片１６を摘んで電池４を支持し、電池４を機器の電池収容部内に収納した後、摘み片１６を引くと、前記折り返し片１５ｂがシール面１５ａから折り返されているため、シール面１５ａを正極缶５から剥離する動作が円滑になれ、剥離に伴って電池４を電池収容部から引き出してしまうことがない。
【００２９】
上記構成になる空気電池２を複数個収容して販売もしくは携帯の用に供する空気電池包装体１について以下に説明する。ここでは６個の空気電池１を１パックに包装した空気電池包装体１として販売し、これを購入したユーザは空気電池包装体１を保管あるいは携帯することにより、交換用の空気電池を常備できるようにしたものである。
【００３０】
図１は、実施形態に係る空気電池包装体１の表裏外観を示すもので、包装体１０は、透明なポリエチレンテレフタレート（以下、ＰＥＴ）のシートを加熱成形（真空成形及び／又は圧空成形）して所要の凹凸形状を形成し、開口部及び外形をプレス加工により打ち抜き形成したものである。図１（ａ）に示す物品収容面１７側は、収容された４個の空気電池２の電池４部分を収納した電池収容凹部（物品収容凹部）２１ａを外部から収容した電池４が確認できるように透明素材のままとし、その他の部位は印刷が施されて不透明な状態としている。また、図１（ｂ）に示す蓋面１８側は、前記物品収容面１７を開閉自在に被覆すると共に、この面にも２個の空気電池２の電池４部分を収容した電池収容凹部２１ｂが設けられ、同様に電池収容凹部２１ｂは透明素材のままとし、その他の部位は印刷が施されて不透明な状態としている。印刷は商品名、品番、取り扱い方法、注意書きなどを含むものであって、具体的な図示は省略している。
【００３１】
包装体１０の上方には吊下げ陳列用の吊下げ穴４１が開口し、全体の高さ寸法は吊下げ陳列台の高さ規制範囲内となるように形成されている。販売状態においては、物品収容面１７と蓋面１８との間は、図１（ｃ）に示すように、一般にバージンシールと称される封止シール４２によって空気電池包装体１を開くことができないようにしている。
【００３２】
この空気電池包装体１を購入したユーザは、封止シール４２をその中央に設けられたミシン目４２ａから破断すると、物品収容面１７から蓋面１８を開くことができる。蓋面１８を開くには、一方の手で物品収容面１７を支持し、他方の手の親指を物品収容面１７の両側に形成された指掛り用の切欠部３０から蓋面１８に掛けて蓋面１８を押し開くと、両面間の嵌合が外れ、図２に示すように、物品収容面１７及び蓋面１８の内面側を展開した状態とすることができる。
【００３３】
図２は、空気電池包装体１の蓋面１８を開いた状態を示すもので、電池収容面１７の長手方向に４個、蓋面１８の長手方向に２個の空気電池２がそれぞれ電池収容凹部２１ａ，２１ｂに電池４部分を収容して配置されている。各空気電池３にそれぞれ取り付けられたシールフィルム１５の折り返し片１５ｂには、電池収容面１７及び蓋面１８それぞれの長手方向の一方辺から延出形成されて内側に折り返された摘み片形成面１９、２７に分離線２９で個々に切り離された摘み片１６の先端部が接合されている。
【００３４】
空気電池包装体１から１個の空気電池２を取り出すには、分離線２９が円弧状に曲げられた部位に指先を当てて摘み片１６を摘むと、１枚の摘み片１６を起こして電池４を電池収容凹部２１ａ，２１ｂから引き出すことができるので、摘み片１６を切取線２６のミシン目から切り離すと、空気電池２は図５に示した状態にして１個ずつ取り出すことができる。
【００３５】
図３は、包装体１０を展開状態で示すもので、ＰＥＴのシート材を加熱成形して、図４（ａ）にＡ−Ａ線矢視断面、図４（ｂ）にＢ−Ｂ線矢視断面として示すように、凹凸部を形成すると共に、プレス加工により外形及び開口部が打ち抜かれ、同時に折曲線や切取線が形成される。
【００３６】
図３及び図４において、物品収容面１７には、面の変形を防止する補強凹部２２が浅く形成され、その補強凹部２２内に４個の電池４を１列に収容する電池収容凹部２１ａが電池４の高さに対応する深さに形成され、上部に蓋面１８を嵌合させるための嵌合凸部２３及び吊下げ穴４１が形成されている。前記電池収容凹部２１ａは、図４（ａ）に断面図として示すように、立下り部分が傾斜面に形成されていることにより、摘み片１６の先端に軟質のシールフィルム１５でぶら下がった状態の電池４が摘み片１６から傾いた状態でも電池収容凹部２１に傾きが修正されて収納される。
【００３７】
物品収容面１７の長手方向一方辺から折曲線２５とするミシン目を介して延出形成された摘み片形成面１９には、指先で１枚ずつ引き上げ易くするための円弧を形成した分離線２９で切断された４枚の摘み片１６が形成され、各摘み片１６は切取線２６とするミシン目から容易に切り離しできるように形成され、組み立て時に図２に示すように、折曲線２５から物品収容面１７上に折り返される。各摘み片１６には補強リブ３８が形成され、先端部にシールフィルム１５を介して電池４をぶら下げた状態にしたときに摘み片１６が折れ曲がらないように補強している。
【００３８】
物品収容面１７の下部に第１の折曲線３１を介して幅の狭いヒンジ面２０が形成され、このヒンジ面２０から第２の折曲線３２を介して蓋面１８が形成されている。前記第１及び第２の各折曲線３１，３２は、第１の折曲線３１のミシン目を形成する切断線間の繋ぎ線を短くし、第２の折曲線３２のミシン目を形成する切断線間の繋ぎ線を第１の折曲線３１に比して長く形成している。この第１及び第２の各折曲線３１，３２のミシン目構造により、蓋面１８を物品収容面１７に対して開閉する際に、折り曲げが容易な第１の折曲線３１が主たるヒンジ作用をなし、第１の折曲線３１が略直角に折り曲がった後、第２の折曲線３２が略直角に折り曲がって蓋面１８は電池収容面１７上を閉じるので、ヒンジ面２０は物品収容面１７及び蓋面１８に対して略直角となり、包装体１０の変形がなく、外観上も優れた状態が得られる。
【００３９】
蓋面１８には、そのほぼ全面に図示手前側に凸状面となるように蓋面１８の変形を防止すると共に物品収容凹部２１ａに収容された電池４を押さえる補強凸部３３が形成され、その補強凸部３３内に物品収容面１７の電池収容凹部２１ａの凹部形成方向と反対の方向に２個の電池４を収容する電池収容凹部２１ｂが電池４の高さに対応する深さに形成され、下部に物品収容面１７に設けられた嵌合凸部２３に嵌合して蓋面１８で物品収容面１７を閉じた状態に維持する嵌合凹部３６が形成されている。前記電池収容凹部２１ｂは、図４（ｂ）に断面図として示すように、物品収容面１７に形成された電池収容凹部２１ａと同様に、立下り部分が傾斜面に形成されていることにより、摘み片１６の先端に軟質のシールフィルム１５でぶら下がった状態の電池４が摘み片１６から傾いた状態でも電池収容凹部２１に傾きが修正されて収納される。
【００４０】
また、蓋面１８の長手方向一辺側には、前記補強凸部３３の高さに対応する間隔で２本の折曲線２５ａ，２５ｂとするミシン目を介して延出形成された摘み片形成面２７が形成されている。摘み片形成面２７は物品収容面１７側と同様に、指先で１枚ずつ引き上げ易くするための円弧を形成した分離線２９で切断された２枚の摘み片１６が形成され、各摘み片１６は切取線２６とするミシン目から容易に切り離しできるように形成され、組み立て時に図２に示すように、折曲線２５から物品収容面１７上に折り返される。各摘み片１６には補強リブ３８が形成され、先端部にシールフィルム１５を介して電池４をぶら下げた状態にしたときに摘み片１６が折れ曲がらないように補強している。
【００４１】
包装体１０は、印刷を施したＰＥＴシートを加熱成形及びプレス加工することにより図３及び図４に示す状態に形成されるので、電池収容凹部２１ａ，２１ｂにシールフィルム１５が貼着された電池４を整列配置し、摘み片形成面１９を折曲線２５ａ，２５ｂから物品収容面１７上に折り返して各摘み片１６の先端部にシールフィルム１５の折り返し片１５ｂを接合し、摘み片形成面２７を折曲線２５から蓋面１８上に折り返して各摘み片１６の先端部にシールフィルム１５の折り返し片１５ｂを接合すると、図２に示す状態が得られる。
【００４２】
図２に示す状態から蓋面１８を第１及び第２の各折曲線３１，３２で折り曲げて物品収容面１７上に配し、物品収容面１７と蓋面１８とを圧縮方向に押圧して嵌合凹部３６に物品収容面１７の嵌合凸部２３を嵌め合わせると、物品収容面１７を蓋面１８で閉じた図１に示す状態が得られる。
【００４３】
電池収容面１７と蓋面１８との間の嵌合は、略四角形の凹部に円形又は長円形の凸部を嵌入させるので、凸部は凹部の周面に複数点で点接触した状態に嵌合し、嵌合状態の低下を抑制することができる。従って、６個の空気電池２を消費し終えるまでに何度も蓋面１８を開閉しても、シート材で簡易に構成した包装体１０であっても、嵌合機能が低下することはない。
【００４４】
上記実施形態においては、６個の空気電池２を１パックに包装しているが、このパック数に限定されるものではない。例えば、直径が大きい電池４を用いた空気電池２では、収容個数を少なくすると、空気電池包装体１としての高さ寸法の増加が抑制され、吊下げ陳列販売の高さ規制寸法内に形成することができ、携帯性を損なうことがない。逆に更に小型の電池であれば、より多くの電池を収容することができる。
【００４５】
以上説明した実施形態の包装体は、空気電池２を収容した例について示したが、ボタン形電池や釣り針などの小型の物品を複数個収容して販売あるいは携帯のように供することができる。
【００４６】
【発明の効果】
以上説明した通り本発明に係る包装体は、硬質シート材の加熱成形加工及びプレス加工により形成できるので、複数個の物品を消費するまでの有限期間の使用に耐え得る安価な構造に形成することができ、樹脂成形品のように半永久的に使用できる高価な包装体を用いる無駄が解消される。また、包装体の一部は複数の摘み片として、その先端部でそれぞれ複数の物品を保持しているので、使用する１個の物品は１つの摘み片を切取線から切り離して取り出すことにより、硬質の摘み片の先端に物品がぶら下がった状態が得られ、指先では取り扱いし難い小型の物品でも、その取り扱いを容易にすることができる。
【図面の簡単な説明】
【図１】実施形態に係る空気電池包装体の構成を示す（ａ）は表面側、（ｂ）は裏面側、（ｃ）は封止テープそれぞれの平面図。
【図２】同上空気電池包装体の蓋面を開いた状態を示す平面図。
【図３】包装体を展開状態で示す平面図。
【図４】（ａ）は包装体のＡ−Ａ線矢視断面図、（ｂ）は包装体のＢ−Ｂ線矢視断面図。
【図５】空気電池の構成を示す（ａ）は平面図、（ｂ）は側面図。
【図６】従来技術に係る包装体の構成を示す斜視図。
【符号の説明】
１  空気電池包装体
２  空気電池
４  電池（物品）
１０  包装体
１６  摘み片
１７  物品収容面
１８  蓋面
１９  摘み片形成面
２０  ヒンジ面
２１ａ，２１ｂ  電池収容凹部（物品収容凹部）
２４  嵌合凸部
２６  切取線
２９  分離線
３０  切欠部
３１  第１の折曲線（軟曲げミシン目）
３２  第２の折曲線（硬曲げミシン目）
３３  補強凸部
３６  嵌合凹部
３８  補強リブ
４１  吊下げ穴
【図１】
2004182303.tif 000003
【図２】
2004182303.tif 000004
【図３】
2004182303.tif 000005
【図４】
2004182303.tif 000006
【図５】
2004182303.tif 000007
【図６】
2004182303.tif 000008